(57)【要約】【課題】ヘッド部分の厚みをできるだけ薄くし、かつ圧損を低下させた流体分配器を提供することである。【解決手段】密閉筺体を隔離板１０１で隔離して流体分配空間１３１と流体返戻空間１３２を形成し、流体分配空間１３１に連通する分配ポート１２１ａ、１２２ａ、１２３ａ、１２４ａと、流体返戻空間１３２に連通する返戻ポート１２１ｂ、１２２ｂ、１２３ｂ、１２４ｂを設け、筺体の一端に前記分配空間１３１に連通する流体供給用ポート１２５ａと、前記返戻空間１３２に連通する流体排出用ポート１２５ｂを設ける。そしてそれぞれの分配ポートと返戻ポートを適当な配管Ａ、Ｂ、Ｃ、Ｄで接続し、温水などを流通させる。【選択図】  図３
2004324919.tif 000002
【特許請求の範囲】
【請求項１】
密閉した中空筺体内を流体分配空間と流体返戻空間に隔離し、前記流体分配空間に連通する複数の分配ポートと前記流体返戻空間に連通する複数の返戻ポートを設け、適宜の配管の入口を前記分配ポートに、配管の出口を前記返戻ポートにそれぞれ接続し、前記分配空間に連通する流体供給用ポートから供給された流体を分配ポートから配管を通って返戻ポートに還流させ、前記返戻空間に連通する排出用ポートから排出するようにした流体分配器。
【請求項２】
前記中空筺体は両側壁及び両端壁と天板及び底板を有する平面ほぼ長方形の板状体より成り、前記流体分配空間と流体返戻空間が中空筺体を長さ方向にほぼ水平に隔離された空間より成る請求項１に記載の流体分配器。
【請求項３】
前記分配ポート及び返戻ポートがそれぞれ両側壁に設けられ、前記供給用ポートと排出用ポートが一方の端壁に設けられ、前記分配ポート及び供給用ポートは返戻空間まで延びかつ隔離壁によって返戻空間から隔離され、前記返戻ポート及び排出用ポートは分配空間まで延びかつ隔離壁によって分配空間から隔離されていることを特徴とする請求項１または２に記載の流体分配器。
【請求項４】
前記分配ポートと返戻ポートが交互に設けられた請求項１〜３のいずれかに記載の流体分配器。
【発明の詳細な説明】
【０００１】
【発明の技術分野】
この発明は、床暖房などの配管に温水を分配供給するのに用いる流体分配器に関する。
【０００２】
【従来の技術】
従来、この種の分配器は、図４及び図５に示すように、板状体から成るヘッド３の端面に、温水の供給用ノズル１及び排出用ノズル２が設けられ、これらのノズル１及び２はそれぞれ供給用通路１０及び返戻用通路２０にそれぞれ連通している。前記供給通路１０は、暖房配管の先端に接続するための分配ノズル１１、１２、１３、１４に連通し、返戻通路２０は暖房配管の後端に接続するための返戻ノズル２１、２２、２３、２４に連通している。そして供給用ノズル１から供給された温水は、通路１０を介してノズル１１、１２、１３、１４に分配され、ノズル１１に接続された配管Ａを通過してノズル２１から通路２０を介して排出用ノズル２へ戻り、ノズル１２に接続された配管Ｂ、ノズル１３に接続された配管Ｃ、ノズル１４に接続された配管Ｄにも同様に温水が通過してそれぞれノズル２２、２３、２４から通路２０を介して排出用ノズル２に戻る。
【０００３】
【発明の課題】
上記のような分配器のヘッド３は、通路１０と２０をノズル１３と１４及びノズル２１と２２にそれぞれ連通させるための分岐路１２ａと２２ａ及び分岐路１３ａと２１ａがそれぞれ通路１０と２０に交差しかつそれぞれ上下に重なり合っているため、充分な厚さが必要となる。しかるに、床暖房などではフローリング（ｆｌｏｏｒｉｎｇ）の下面に分配器などを配置するため、可能な限り薄くする必要がある。
【０００４】
さらに、上述のごとく通路や分岐路を交差させたり重ね合せると、ヘッドを要求された厚みにするため、必然的に細い（狭い）通路にしなければならず流体の圧損が大きくなる問題が生じる。
【０００５】
そこで、この発明の課題は、ヘッド部分の厚みをできるだけ薄くし、かつ圧損を低下させた流体分配器を提供することである。
【０００６】
【課題の解決手段】
上記の課題を解決するために、この発明においては、密閉した中空筺体内を流体分配空間と流体返戻空間に隔離し、前記流体分配空間に連通する複数の分配ポートと前記流体返戻空間に連通する複数の返戻ポートを設け、適宜の配管の入口を前記分配ポートに、配管の出口を前記返戻ポートにそれぞれ接続し、前記分配空間に連通する流体供給用ポートから供給された流体を分配ポートから配管を通って返戻ポートに還流させ、前記返戻空間に連通する排出用ポートから排出するようにしたのである。
【０００７】
前記中空筺体は両側壁及び両端壁と天板及び底板を有する平面がほぼ長方形の板状体より成り、前記流体分配空間と流体返戻空間が中空筺体を長さ方向にほぼ水平に隔離された空間より成っている。そして、分配ポート及び返戻ポートはそれぞれ両側壁に形成され、流体供給用ポートと排出用ポートは一方の端壁に形成されている。また、分配ポート及び供給用ポートは返戻空間まで延びているが隔離壁によって返戻空間から隔離され、返戻ポート及び排出用ポートは分配空間まで延びているが隔離壁によって分配空間から隔離されている。なお、これらの分配ポートと返戻ポートは交互に設けるのが好ましい。
【０００８】
【実施の形態】
以下、この発明の実施形態を添付図面に基づいて説明する。図１及び図２に分配器のヘッド部の基板を示す。図示のように、基板１００は、長方形状隔離板１０１の上下周縁に側壁１０２ａ、１０２ｂ及び端壁１０３ａ、１０３ｂを設けたものであって、この側壁１０２ａ、１０２ｂの内側方向に、端部が側壁１０２ａ、１０２ｂに連結しかつ底面が隔離板１０１に連結するコ字状のポート隔離壁１１１ａと１１１ｂ、１１２ａと１１２ｂ、１１３ａと１１３ｂ、１１４ａと１１４ｂが設けられている。そして隣接するポート隔離壁は等間隔で上下互い違いに設けられている。これらのポート隔離壁に囲まれた部分には、流路隔離板１０１を貫通する貫通穴１１０が設けられている。なお、ポート隔離壁は、図示の４対（８個）に限らず、２対、３対或は５対以上でもよい。
【０００９】
上記各ポート隔離壁に対応して、側壁１０２ａ、１０２ｂを貫通する分配ポート１２１ａと返戻ポート１２１ｂ、１２２ａと１２２ｂ、１２３ａと１２３ｂ、１２４ａと１２４ｂが設けられている。分配ポート１２１ａ、１２２ａ、１２３ａ、１２４ａは流体を供給するポートであり、返戻ポート１２１ｂ、１２２ｂ、１２３ｂ、１２４ｂは流体を返戻するポートである。これらのポートには、適当な取付け金具によって、床暖房配管例えばブレキシブルホースの末端を接続するノズル（図４及び図５の符号１１参照）が取付けられる。
【００１０】
前記隔離板１０１の一端は、端壁１０３ｂによって閉鎖されているが、他端の端壁１０３ａには、流体供給用ポート１２５ａと流体排出用ポート１２５ｂが形成されている。流体供給用ポート１２５ａは、隔離板１０１に設けられた貫通穴１２０ａに連通し、この貫通穴１２０ａの周縁は、隔離板１０１の裏面側に設けられた隔離壁１２６ａによって囲まれ、流体排出用ポート１２５ｂは、隔離板１０１に設けられた貫通穴１２０ｂに連通し、この貫通穴１２０ｂの周縁は、隔離板１０１の表面側に設けられた隔離壁１２６ｂによって囲まれている。
【００１１】
図３に示すように、基板１００の上面及び下面を天板１０４及び底板１０５で密閉すると、隔離壁１１１ｂ、１１２ｂ、１１３ｂ、１１４ｂ、１２６ｂの外端面は天板１０４に密着し、隔離壁１１１ａ、１１２ａ、１１３ａ、１１４ａ、１２６ａの外端面は底板１０５に密着する。従って、供給用ポート１２５ａ及び分配ポート１２１ａ、１２２ａ、１２３ａ、１２４ａは隔離板１０１と天板１０４で形成される平板状分配空間１３１のみに連通し、排出用ポート１２５ｂ及び返戻ポート１２１ｂ、１２２ｂ、１２３ｂ、１２４ｂは、隔離板１０１と底板１０５で形成される平板状返戻空間１３２のみに連通する密閉中空筺体が出来上る。
【００１２】
いま、分配ポート１２１ａと返戻ポート１２１ｂ、分配ポート１２２ａと返戻ポート１２２ｂ、分配ポート１２３ａと返戻ポート１２３ｂ、分配ポート１２４ａと返戻ポート１２４ｂをそれぞれ適当な床暖房用配管Ａ、Ｂ、Ｃ、Ｄの入口と出口に接続し、供給用ポート１２５ａから温水を供給すると、分配器の分配空間１３１を通って分配ポート１２１ａ、１２２ａ、１２３ａ、１２４ａから温水が配管Ａ、Ｂ、Ｃ、Ｄにそれぞれ供給され、返戻ポート１２１ｂ、１２２ｂ、１２３ｂ、１２４ｂに戻ってくる。返戻された温水は分配器の返戻空間１３２に集められ、排出用ポート１２５ｂから適当な温水供給装置に戻される。
【００１３】
上記図３では、基板１００と天板１０４及び底板１０５を別体としたが、ロストワックス法などを利用して一体の鋳造品とすることができる。また、筺体の平面形状は、図示の長方形に限らず、長円形、楕円形など任意の形状を採りうる。
【００１４】
【発明の効果】
この発明によれば、以上のように、２個の比較的薄い空間を隔離するだけで多くの分配ポートと返戻ポートを形成可能にしたので、分配器の厚みを非常に薄くすることが可能となり、また広い空間で流体を分配できるので圧損が少なくなり、さらに精密な孔あけ加工を必要としないので、コストを削減することができる。
【図面の簡単な説明】
【図１】この発明の分配器の基板の一例を示す平面図
【図２】同上の基板の斜視図
【図３】分配器の（イ）  縦断右側面図、（ロ）  縦断左側面図
【図４】従来の分配器を示す平面図
【図５】同上の平面断面図
【符号の説明】
１  供給用ノズル
２  排出用ノズル
３  ヘッド
１０  供給通路
１１、１２、１３、１４  分配ノズル
２０  返戻通路
２１、２２、２３、２４  返戻ノズル
１２ａ、１３ａ、２１ａ、２２ａ  分岐路
１００  基板
１０１  隔離板
１０２ａ、１０２ｂ  側壁
１０３ａ、１０３ｂ  端壁
１０４  天板
１０５  底板
１１０  貫通穴
１１１ａ、１１２ａ、１１３ａ、１１４ａ  ポート隔離壁
１１１ｂ、１１２ｂ、１１３ｂ、１１４ｂ  ポート隔離壁
１２０ａ、１２０ｂ  貫通穴
１２１ａ、１２２ａ、１２３ａ、１２４ａ  分配ポート
１２１ｂ、１２２ｂ、１２３ｂ、１２４ｂ  返戻ポート
１２５ａ  供給用ポート
１２５ｂ  排出用ポート
１２６ａ、１２６ｂ  隔離壁
１３１  分配空間
１３２  返戻空間
Ａ、Ｂ、Ｃ、Ｄ  配管
【図１】
2004324919.tif 000003
【図２】
2004324919.tif 000004
【図３】
2004324919.tif 000005
【図４】
2004324919.tif 000006
【図５】
2004324919.tif 000007